(57)【要約】複数の材料を保管し、分注するパッケージ（１０）は、第一及び第二の縦方向に並列した筒（１１、１２）を含む。各筒（１１、１２）はそれぞれ、第一端と第二端（２０、２１）を有し、第一筒（１１）及び第二筒（１２）はそれぞれ、最初にそこに含まれた材料のうちの少なくとも１つの、ある分量を有し、各筒はそれぞれ、開放端（２０）と分注端（２１）を有する。各筒（１１、１２）それぞれの材料が、最初に、筒（１１、１２）の分注端（２１）と、密封プランジャ（４０）のそれぞれとの間に位置するように、各筒（１１、１２）のそれぞれに密封プランジャ（４０）が配設され、筒（１１、１２）の各分注端（２１）のそれぞれを最初に閉鎖するべく、スナップキャップ（２３）が隣接して形成されて、スナップキャップ（２３）を、筒（１１、１２）から破断することができるようになり、それによって、筒（１１、１２）の分注端（２１）に、二次開放端（２２）を形成し、それによって、各筒（１１、１２）それぞれに含まれる材料が、中を流れ、分注されることを容易にする。
2004529717.tif 000002
【特許請求の範囲】
【請求項１】
複数の材料を保管し分注するパッケージであって、それぞれの筒が、第一端及び第二端を有し且つ最初にそこに含まれた材料のうちの少なくとも一つのある分量を有し且つ開放端及び分注端を有する、縦方向に並列した第一筒及び第二筒と、各筒内の材料が最初に筒の分注端と密封プランジャの間に配置されるように各筒に配設された密封プランジャと、筒の各分注端を最初に閉鎖するべく隣接して形成され且つ筒から破断することができそれによって筒の分注端に二次開放端を形成して各筒に含まれる材料を中を流して分注することを容易にするスナップキャップとを備えるパッケージ。
【請求項２】
複数の材料を保管及び分注するシステムであって、それぞれの筒が、第一端及び第二端を有し且つ最初にそこに含まれた材料のうちの少なくとも一つのある分量を有し且つ開放端及び分注端を有する、縦方向に並列した第一筒及び第二筒と、各筒内の材料が最初に筒の分注端と密封プランジャの間に配置されるように各筒に配設された密封プランジャと、筒の各分注端を最初に閉鎖するべく隣接して形成され且つ筒から破断することができそれによって筒の分注端に二次開放端を形成して各筒に含まれる材料を中を流して分注することを容易にするスナップキャップと、横方向に変位させることのできる第一及び第二注入プランジャ及び分注プランジャを横方向に変位させる動作手段を有する分注注入器とを含み構成され、第一筒及び第二筒は、該筒を分配注入器に取り外し可能に取り付ける手段を有し、第一注入プランジャは、第一筒の主開放端内に受け入れ可能であり且つ第一筒内に位置する密封プランジャと接触するべくそこを通って横方向に変位させることができ、また、第二注入プランジャは、第二筒の主開放端内に受け入れ可能であり且つ第二筒内に位置する密封プランジャと接触するべくそこを通って横方向に変位させることができる、複数の材料を保管及び分注するシステム。
【請求項３】
複数の材料を保管し、分注するパッケージであって、それぞれの筒が、第一端及び第二端を有し且つ最初にそこに含まれた材料のうちの少なくとも一つのある分量を有し且つ開放端及び分注端を有する、縦方向に並列した第一筒及び第二筒と、各筒内の材料が最初に筒の分注端と密封プランジャの間に配置されるように各筒に配設された密封プランジャと、筒の各分注端を最初に閉鎖するべく隣接して形成され且つ筒から破断することができそれによって筒の分注端に二次開放端を形成して各筒に含まれる材料を中を流して分注することを容易にするスナップキャップと、第一筒及び第二筒に取り外し可能に取り付けられ分注孔を有し、二次開口部から分注される材料が混合用先端部を通り分注孔を通って出るようになる混合用先端部と、材料同士の密接な接触及び混合を促進するべく混合用先端部内に含まれた固定的な混合用構成要素とを備えるパッケージ。
【請求項４】
複数の材料用の保管及び分注システムであって、それぞれの筒が、第一端及び第二端を有し且つ最初にそこに含まれた材料のうちの少なくとも一つのある分量を有し且つ開放端及び分注端を有する、縦方向に並列した第一筒及び第二筒と、各筒内の材料が最初に筒の分注端と密封プランジャの間に配置されるように各筒に配設された密封プランジャと、筒の各分注端を最初に閉鎖するべく隣接して形成され且つ筒から破断することができそれによって筒の分注端に二次開放端を形成して各筒に含まれる材料を中を流して分注することを容易にするスナップキャップと、横方向に変位させることのできる第一及び第二注入プランジャ及び分注プランジャを横方向に変位させる動作手段を有する分注注入器とを含み構成され、第一筒及び第二筒は、該筒を分配注入器に取り外し可能に取り付ける手段を有し、第一注入プランジャは、第一筒の主開放端内に受け入れ可能であり且つ第一筒内に位置する密封プランジャと接触するべくそこを通って横方向に変位させることができ、また、第二注入プランジャは、第二筒の主開放端内に受け入れ可能であり且つ第二筒内に位置する密封プランジャと接触するべくそこを通って横方向に変位させることができ、また、注入プランジャが横方向に変位されて筒の中に入りそれに受け入れられる時、先ず前記金属薄片密封部が注入プランジャとの物理的接触によって孔を開けられる、第一筒及び第二筒の主開放端を最初に閉鎖する金属薄片密封部を含み構成される、複数の材料用の保管及び分注システム。
【発明の詳細な説明】
【技術分野】
【０００１】
食刻性粘着剤などの歯科材料用パッケージ。より詳しくは、本発明は、カチッと開くキャップを有する複数バレル保管及び分注カートリッジに関する。
【背景技術】
【０００２】
ある種の材料は、その材料を保管し、分注するための特殊化されたパッケージを必要とする。例えば、流体または流体のような（即ち、重力または加えられた力によって流れる能力を有する）歯科材料に関しては、それらの材料は、感光性またはその種の他のものである場合があり、そのため、時期尚早に材料が光に曝されるのを防ぐパッケージを必要とする。さらに、粘着剤などの歯科材料は、保管中は別々にしておいて、使用する直前に混合しなければならない複数の成分をしばしば含む。なおさらに、所与の歯科処置のために、少量の材料しか使用する必要のない場合がしばしばある。したがって、そのような材料を、使いきりの量または「１回分」の量で保管し、分注することが望ましい。
【０００３】
従来、歯科材料の保管及びパッケージングは、しばしば、不透明な小瓶を用いて実施された。そのような小瓶は、保管を容易に行うためにしばしば提供されたが、効率的な分注動作を行うには、あまり適切ではない。さらに、複数の成分を混合する場合、材料をまず正確に測定しなければならない。
【特許文献１】
米国特許第４，７０８，６５０号
【発明の開示】
【発明が解決しようとする課題】
【０００４】
したがって、特に、複数成分からなる粘着剤などの歯科材料である材料を保管し、分注するパッケージへの必要が生じている。そのパッケージは、材料を、時期尚早に周囲環境に曝されることから保護せねばならず、保管中、複数の成分を別々にしておき、予め測定された量の材料の、分注及び混合を容易に行わねばならず、材料の１回分の量をパッケージするのに有用でなければならない。
【０００５】
したがって、本発明の目的は、流体または流体のような（本明細書では、総称的に「流体」と呼ぶ）材料用のパッケージを提供することにある。
【０００６】
本発明の他の目的は、複数の成分を保管する能力を備えた、上記の通りのパッケージを提供することにある。
【０００７】
本発明の他の目的は、上記の通りのパッケージが、そこに含まれる１つまたは複数の材料が、周囲環境に曝されることを、必要な時まで防ぐことにある。
【０００８】
本発明の他の目的は、パッケージされた材料の、１回分の量を提供するのに有用な、上記の通りのパッケージを提供することにある。
【０００９】
本発明の他の目的は、作業者にとって容易かつ効率的に有益なパッケージを提供することにある。
【００１０】
本発明のこれら及びその他の目的が、ここに述べる通りの本発明から明らかとなろうが、それらは、以下に述べ、請求する通りの本発明によって達成される。
【００１１】
一般に、複数の材料を保管し、分注するパッケージは、それぞれの筒が、第一端及び第二端を有し且つ最初にそこに含まれた材料のうちの少なくとも一つのある分量を有し且つ開放端及び分注端を有する、縦方向に並列した第一筒及び第二筒と、各筒内の材料が最初に筒の分注端と密封プランジャの間に配置されるように各筒に配設された密封プランジャと、筒の各分注端を最初に閉鎖するべく隣接して形成され且つ筒から破断することができそれによって筒の分注端に二次開放端を形成して各筒に含まれる材料を中を流して分注することを容易にするスナップキャップとを備える。
【００１２】
複数の材料用の、保管及び分注システムも、それぞれの筒が、第一端及び第二端を有し且つ最初にそこに含まれた材料のうちの少なくとも一つのある分量を有し且つ開放端及び分注端を有する、縦方向に並列した第一筒及び第二筒と、各筒内の材料が最初に筒の分注端と密封プランジャの間に配置されるように各筒に配設された密封プランジャと、筒の各分注端を最初に閉鎖するべく隣接して形成され且つ筒から破断することができそれによって筒の分注端に二次開放端を形成して各筒に含まれる材料を中を流して分注することを容易にするスナップキャップと、横方向に変位させることのできる第一及び第二注入プランジャ及び分注プランジャを横方向に変位させる動作手段を有する分注注入器とを含み構成され、第一筒及び第二筒は、該筒を分配注入器に取り外し可能に取り付ける手段を有し、第一注入プランジャは、第一筒の主開放端内に受け入れ可能であり且つ第一筒内に位置する密封プランジャと接触するべくそこを通って横方向に変位させることができ、また、第二注入プランジャは、第二筒の主開放端内に受け入れ可能であり且つ第二筒内に位置する密封プランジャと接触するべくそこを通って横方向に変位させることができる。
【００１３】
複数の材料を保管し、分注するパッケージはまた、それぞれの筒が、第一端及び第二端を有し且つ最初にそこに含まれた材料のうちの少なくとも一つのある分量を有し且つ開放端及び分注端を有する、縦方向に並列した第一筒及び第二筒と、各筒内の材料が最初に筒の分注端と密封プランジャの間に配置されるように各筒に配設された密封プランジャと、筒の各分注端を最初に閉鎖するべく隣接して形成され且つ筒から破断することができそれによって筒の分注端に二次開放端を形成して各筒に含まれる材料を中を流して分注することを容易にするスナップキャップと、第一筒及び第二筒に取り外し可能に取り付けられ分注孔を有し、二次開口部から分注される材料が混合用先端部を通り分注孔を通って出るようになる混合用先端部と、材料同士の密接な接触及び混合を促進するべく混合用先端部内に含まれた固定的な混合用構成要素とを備える。
【００１４】
複数の材料用の保管及び分注システムはまた、それぞれの筒が、第一端及び第二端を有し且つ最初にそこに含まれた材料のうちの少なくとも一つのある分量を有し且つ開放端及び分注端を有する、縦方向に並列した第一筒及び第二筒と、各筒内の材料が最初に筒の分注端と密封プランジャの間に配置されるように各筒に配設された密封プランジャと、筒の各分注端を最初に閉鎖するべく隣接して形成され且つ筒から破断することができそれによって筒の分注端に二次開放端を形成して各筒に含まれる材料を中を流して分注することを容易にするスナップキャップと、横方向に変位させることのできる第一及び第二注入プランジャ及び分注プランジャを横方向に変位させる動作手段を有する分注注入器とを含み構成され、第一筒及び第二筒は、該筒を分配注入器に取り外し可能に取り付ける手段を有し、第一注入プランジャは、第一筒の主開放端内に受け入れ可能であり且つ第一筒内に位置する密封プランジャと接触するべくそこを通って横方向に変位させることができ、また、第二注入プランジャは、第二筒の主開放端内に受け入れ可能であり且つ第二筒内に位置する密封プランジャと接触するべくそこを通って横方向に変位させることができ、また、注入プランジャが横方向に変位されて筒の中に入りそれに受け入れられる時、先ず前記金属薄片密封部が注入プランジャとの物理的接触によって孔を開けられる、第一筒及び第二筒の主開放端を最初に閉鎖する金属薄片密封部を含み構成される。
【発明を実施するための最良の形態】
【００１５】
本発明による、複数成分用の１回分量収容・供給システムを、一例として、１０番で、図面に示す。パッケージ１０は、任意のタイプまたは任意の量の材料を保管、分注するのに使用することができるが、特に、２つの成分から成る歯科粘着剤またはその種の他のものを保管し、分注するのに適している。
【００１６】
パッケージ１０は、筒１１及び１２などの、複数の筒を含む。パッケージ１０は、２つの筒１１及び１２を備えて例示するが、言うまでもなく、そのような筒が任意の数であっても、本発明の範囲に入る。筒１１及び１２は、それぞれ、空き領域１３、１４を中に有して、細長いことが好ましい。
【００１７】
筒１１及び１２は、その縦方向に並列することが好ましいが、他の構成も、本発明の範囲に入る。さらに、各筒１１及び１２それぞれに、第一の主開放端２０及び第二端２１が設けられ、各第一端２０には、それぞれ、空き領域１３、１４へのアクセスを可能にする主開口部が設けられる。
【００１８】
筒１１及び１２の各第二端２１それぞれには、最初はスナップキャップまたはブレークキャップ２３によって閉鎖される分注孔２２が設けられる。スナップキャップ２３は、筒１及び１２と一体に形成されることが好ましい。さらに、スナップキャップ２３は、そこからそれをかみ切り、または破断することによって、ブレークポイント３０（図６）など、またはどこか他の位置で、筒１１及び１２から破断することができる。好ましくは、スナップキャップ２３が、筒１１及び１２から破断されると、二次開口部３１が、各前記筒１１及び１２のそれぞれで形成されて、空き領域１３及び１４が、それらを通って流体連通することができ、それによって、二次開口部３１から材料を分注することが可能となる。筒１１、１２、及びスナップキャップ２３は、ブレーク動作を可能にする適切なプラスチック材料から形成されることが好ましい。より好ましくは、このような構成要素は、例えば射出形成工程またはその種の他のものによって、単一ユニットとして形成されるのが好ましい。
【００１９】
使用する筒１１及び１２の数と少なくとも等しい数の、複数の密封プランジャ４０も設けられる。分注する（図示しない）材料が、各前記筒１３、１４それぞれの主開放端部２１からの投入によって、空き領域１３及び１４内に、最初に配置される。密封プランジャ４０は、主開口部２０を経て、空き領域１３及び１４内に受け入れ可能であって、材料が、前記密封プランジャ４０と、前記スナップキャップ２３との間に存在するようになり、これによって、パッケージ１０の保管機能が遂行される。この構成により、筒１１及び１２内の材料が、周囲環境に曝されることが防止される。材料を分注することが必要な時は、スナップキャップ２３をパッケージ１０から破断することができ、それによって、二次開口部２２が作り出され、これが、空き領域１３及び１４と周囲環境との間を流体連通する。密封プランジャは、変形可能なプラスチック、ゴム製、ゴム製様、またはゴム弾性材料から形成されることが好ましく、空き領域１３、１４内にぴったりと嵌まるように寸法決めされて、空き領域１３、１４を、主開口部２０を経た周囲環境から効果的に密封する。
【００２０】
密封プランジャ４０が、主開口部２０を経て、空き領域１３及び１４内に受け入れられた後、開口部２０は、金属薄片層４１などの、任意のタイプの層によってさらに密封することができる。
【００２１】
二次開口部２２経た材料の分注をさらに容易にするために、任意の設計の分注注入器５０を使用することができる。一つの好ましい分注注入器は、少なくとも１つの注入プランジャ５１を有し、好ましくは、筒１１、１２と同じ数の注入プランジャがパッケージ１０内にあることが好ましいが、これは、必須ではない。なおさらに、注入器５０は、ハンドレバー５２などの、パッケージ１０が注入器５０に取り付けられる時、注入プランジャを主開口部２０に向けて横方向に押しのける、何らかの手段を有するべきである。さらに、パッケージ１０には、パッケージ１０を注入器５０に取り外し可能に固定する、何がしかの手段、即ち、注入器１０への摩擦またはスナップ嵌めなどによって相互作用し、それによってパッケージ１０をそこに取り外し可能に固定する、リップまたはショルダ５３などを、設けるべきである。そのような注入器１０の例が、例えば、本発明の譲受人に譲渡された米国特許第４，７０８，６５０号に見られるが、これを、そのような開示を参照することによって、本明細書の一部とする。注入器５１が、筒１１、１２に向けて横方向に移動されると、金属薄片層４１は、注入プランジャ５１によって物理的に衝突、破裂することができ、または金属薄片層４１を、そのような動作の前に取り除くことができる。さらに、注入プランジャ５１が、筒１１、１２に向けて横方向に変位されるにつれ、それらは、主開口部２０を経て、空き領域１３、１４内に受け入れられ、それによって、プランジャ密封部４０と物理的に接触する。注入プランジャ５１を、筒１１、１２の端２１に向けて、横方向に引き続き変位すると、端２１とプランジャ密封部４０の間の材料が、第二端２１に向けて押され、または移動されて、第二開口部２２を経て分注される。
【００２２】
好ましくは、通路５５が、空き領域１３、１４から、少なくとも部分的にネック領域５４内へと延びるように、ネック領域５４を、スナップキャップ２３と筒１１、１２の第二端との間に設けることができる。スナップキャップ２３及び／または筒１１、１２と比較して、縮小された寸法であることによって、破断領域３０は、ネック領域５４によってその動作を容易にされる。破断領域３０は、通路５５が、そのいずれの側にも延びるように配置されることが好ましく、それによって、筒１１、１２からスナップキャップ２３が破断されると、その結果、二次開口部２２が、パッケージ１０の外部と流体連通するように形成される。
【００２３】
パッケージ１０には、それと一体の、または好ましくは取り外し可能な混合用先端部６０も設けることができて、二次開口部２２を経て分注される材料が、まず、混合用先端部の分注管６１内で混合されるようになる。管６１には、さらに、固定的混合用構成要素６２を設けることができるが、それは、撚り線またはその種の他のものであることができる。筒１１及び１２から出る材料は、管６１内で合わせられ、混合されるが、その混合が、混合用構成要素６１によって高められることが好ましい。管６１には、分注開口部６３が設けられて、これが、管６１の内部と周囲環境の間で流体連通する。分注された材料の塗布を容易にするために、混合用先端部６０の分注開口部６３の付近、中、または周囲に、毛ブラシ６４を配置することができる。
【００２４】
混合用先端部６０は、パッケージ１０に取り外し可能に取り付けることが好ましい。混合用先端部６０をパッケージ１０に取り付ける従来の任意の手段も、本発明の範囲に入るが、それには、粘着剤による結合、またはより好ましくは、スナップ嵌めの摩擦によるものなどがある。例えば、混合用先端部６０の内部に、戻り止め７０を設けることができて、これが結節７１とぴったり合い、それを受け取り、それによって、混合用先端部６０をパッケージ１０に保持する。結節７１及び／または戻り止め７０は、プラスチックまたはその他の変形可能な材料から形成して、パッケージ１０への混合用先端部６０の配置を容易にすることができる。当然ながら、パッケージ１０が、戻り止め７０を担持してもよく、混合用先端部６０が、（図示しない）結節７１を担持することもでき、それでもなお、本発明の範囲に入るものである。
【００２５】
パッケージ１０の量の大きさは、分注する材料の特質によって変わるが、そのような材料の１回分の量であることが好ましい。２回分、３回分、または多数回分の量であっても、本発明の範囲に入る。
【００２６】
本発明の様々な変更形態及び修正形態が、本発明の範囲及び精神から逸脱することなく、一般当業者に明らとなろう。したがって、言うまでもなく、本発明は、ここに述べた例示的実施形態に限定されるものではない。
【図面の簡単な説明】
【００２７】
【図１】本発明によるパッケージの上面断面図である。
【図２】分解した形で構成部品を示す、本発明によるパッケージの斜視図である。
【図３】パッケージの所定位置にある、任意選択のプランジャの一部と、任意選択の混合用先端部とを示す、本発明によるパッケージの正面図である。
【図４】これも任意選択の混合用先端部を示す、本発明によるパッケージの斜視図である。
【図５】分注注入器に取り付けられた本発明の装置を示す、図４と同様の斜視図である。
【図６】本発明による、パッケージの正面断面図である。
【図７】スナップキャップを取り外した、本発明のパッケージの一方端の上面図である。
【図１】
2004529717.tif 000003
【図２】
2004529717.tif 000004
【図３】
2004529717.tif 000005
【図４】
2004529717.tif 000006
【図５】
2004529717.tif 000007
【図６】
2004529717.tif 000008
【図７】
2004529717.tif 000009
【国際公開パンフレット】
2004529717.tif 000010
2004529717.tif 000011
2004529717.tif 000012
2004529717.tif 000013
2004529717.tif 000014
2004529717.tif 000015
2004529717.tif 000016
2004529717.tif 000017
2004529717.tif 000018
2004529717.tif 000019
2004529717.tif 000020
2004529717.tif 000021
2004529717.tif 000022
2004529717.tif 000023
2004529717.tif 000024
2004529717.tif 000025
2004529717.tif 000026
2004529717.tif 000027
2004529717.tif 000028
【国際公開パンフレット（コレクトバージョン）】
2004529717.tif 000029
2004529717.tif 000030
【国際調査報告】
2004529717.tif 000031
2004529717.tif 000032
2004529717.tif 000033